(57)【要約】【課題】撮影を行った場合に、撮影することにより得た画像データを、それぞれのユーザーが煩雑な操作を行うことなく、周囲の機器との間で適切に共有できるようにする。【解決手段】撮影端末１は、撮影を行い、画像データを記録媒体に記録すると（ステップＳ２）、撮影を行ったことを報知するための報知情報を近距離無線通信により送信する（ステップＳ３）。受信端末２は、撮影端末１からの報知情報を受信すると、撮影が行われたことを、受信端末２のユーザーに通知する（ステップＳ７〜ステップＳ９）。受信端末２は、報知対象の画像データの提供を要求することが選択されると（ステップＳ１０）、報知対象の画像データの提供要求を撮影端末１に送信し（ステップＳ１１）、撮影端末１から画像データの提供を受ける（ステップＳ１２）。【選択図】図８
2010177729.tif 000002
【特許請求の範囲】
【請求項１】
被写体の画像を撮影して、当該画像の画像データを生成する撮像手段と、
前記撮像手段を通じて生成した画像データを記憶する記憶手段と、
前記撮像手段を通じて撮影を行ったときに、撮影を行ったことを報知する報知情報を、近距離無線通信により送信する報知情報送信手段と、
前記報知情報を受信した受信端末から近距離無線通信により送信されてくる報知対象の画像データの提供要求を受信する画像データ提供要求受信手段と、
前記画像データ提供要求受信手段を通じて、前記画像データの提供要求を受信した場合に、当該報知対象の画像データを、近距離無線通信により要求元の受信端末に送信する画像データ送信手段と
を備える撮影端末と、
近距離無線通信により前記撮影端末から送信されてくる前記報知情報を受信する報知情報受信手段と、
前記報知情報受信手段を通じて前記報知情報を受信した場合に、撮影が行われたことをユーザーに通知する通知手段と、
前記通知手段を通じて撮影が行われたことの通知を行った場合に、報知対象の画像データの提供を要求するか否かの選択入力を受け付ける受付手段と、
前記受付手段を通じて、報知対象の画像データの提供を要求することが選択された場合に、報知対象の画像データの提供要求を報知元の前記撮影端末に近距離無線通信により送信する画像データ提供要求送信手段と、
前記画像データの提供要求に応じて、前記撮影端末から近距離無線通信により送信されてくる報知対象の画像データを受信する画像データ受信手段と
を備える１以上の受信端末と
からなる撮影画像送受信システム。
【請求項２】
請求項１に記載の撮影画像送受信システムであって、
前記撮像装置は、
前記報知情報を受信した受信端末から近距離無線通信により送信されてくる報知対象の画像データについての属性情報の提供要求を受信する属性情報提供要求受信手段と、
前記属性情報提供要求受信手段を通じて、前記属性情報の提供要求を受信した場合に、当該報知対象の画像データについての属性情報を、近距離無線通信により要求元の受信端末に送信する属性情報送信手段と
を備え、
前記受信端末は、
前記報知情報受信手段を通じて前記報知情報を受信した場合に、報知対象の画像データについての属性情報の提供要求を報知元の前記撮影端末に近距離無線通信により送信する属性情報提供要求送信手段と、
前記属性情報の提供要求に応じて、前記撮影端末から近距離無線通信により送信されてくる報知対象の画像データについての属性情報を受信する属性情報受信手段と
を備え、
前記受信端末の前記通知手段は、前記属性情報受信手段を通じて受信した前記属性情報に基づいて、撮影が行われたことをユーザーに通知するものである撮影画像送受信システム。
【請求項３】
請求項１に記載の撮影画像送受信システムであって、
前記受信端末は、
自機との間で近距離無線通信可能な端末装置の識別情報を記憶保持する識別情報記憶手段と、
前記報知情報受信手段を通じて前記報知情報を受信した場合に、前記報知情報の送信元の撮影端末が、前記識別情報記憶手段に前記識別情報が登録され、自機との間で近距離通信可能なものであるか否かを判別する判別手段と
を備え、
前記受信端末の前記通知手段は、前記判別手段により、前記報知情報の送信元の前記撮影端末が、前記判別手段により自機との間で近距離通信可能なものであると判別された場合に通知処理を行う撮影画像送受信システム。
【請求項４】
請求項２に記載の撮影画像送受信システムであって、
前記受信端末は、
自機との間で近距離無線通信可能な端末装置の識別情報を記憶保持する識別情報記憶手段と、
前記報知情報受信手段を通じて前記報知情報を受信した場合に、前記報知情報の送信元の撮影端末が、前記識別情報記憶手段に前記識別情報が登録され、自機との間で近距離通信可能なものであるか否かを判別する判別手段と
を備え、
前記受信端末の属性情報提供要求送信手段は、前記判別手段により、前記報知情報の送信元の前記撮影端末が、前記判別手段により自機との間で近距離通信可能なものであると判別された場合に前記属性情報の提供要求を送信する撮影画像送受信システム。
【請求項５】
被写体の画像を撮影して、当該画像の画像データを生成する撮像手段と、
前記撮像手段を通じて生成した画像データを記憶する記憶手段と、
前記撮像手段を通じて撮影を行ったときに、撮影を行ったことを報知する報知情報を、近距離無線通信により送信する報知情報送信手段と、
前記報知情報を受信した受信端末から近距離無線通信により送信されてくる報知対象の画像データの提供要求を受信する画像データ提供要求受信手段と、
前記画像データ提供要求受信手段を通じて、前記画像データの提供要求を受信した場合に、当該報知対象の画像データを、近距離無線通信により要求元の受信端末に送信する画像データ送信手段と
を備える撮影端末。
【請求項６】
請求項５に記載の撮影端末であって、
前記報知情報を受信した受信端末から近距離無線通信により送信されてくる報知対象の画像データについての属性情報の提供要求を受信する属性情報提供要求受信手段と、
前記属性情報提供要求受信手段を通じて、前記属性情報の提供要求を受信した場合に、当該報知対象の画像データについての属性情報を、近距離無線通信により要求元の受信端末に送信する属性情報送信手段と
を備える撮影端末。
【請求項７】
撮影機能を有する撮影端末から近距離無線通信により送信されてくる、撮影を行ったことを報知する報知情報を受信する報知情報受信手段と、
前記報知情報受信手段を通じて前記報知情報を受信した場合に、撮影が行われたことをユーザーに通知する通知手段と、
前記通知手段を通じて撮影が行われたことの通知を行った場合に、報知対象の画像データの提供を要求するか否かの選択入力を受け付ける受付手段と、
前記受付手段を通じて、報知対象の画像データの提供を要求することが選択された場合に、報知対象の画像データの提供要求を報知元の前記撮影端末に近距離無線通信により送信する画像データ提供要求送信手段と、
前記画像データの提供要求に応じて、前記撮影端末から近距離無線通信により送信されてくる報知対象の画像データを受信する画像データ受信手段と
を備える受信端末。
【請求項８】
請求項７に記載の受信端末であって、
前記報知情報受信手段を通じて前記報知情報を受信した場合に、報知対象の画像データについての属性情報の提供要求を報知元の前記撮影端末に近距離無線通信により送信する属性情報提供要求送信手段と、
前記属性情報の提供要求に応じて、前記撮影端末から近距離無線通信により送信されてくる報知対象の画像データについての属性情報を受信する属性情報受信手段と
を備え、
前記通知手段は、前記属性情報受信手段を通じて受信した前記属性情報に基づいて、撮影が行われたことをユーザーに通知する受信端末。
【請求項９】
請求項７に記載の受信端末であって、
自機との間で近距離無線通信可能な端末装置の識別情報を記憶保持する識別情報記憶手段と、
前記報知情報受信手段を通じて前記報知情報を受信した場合に、前記報知情報の送信元の撮影端末が、前記識別情報記憶手段に前記識別情報が登録され、自機との間で近距離通信可能なものであるか否かを判別する判別手段と
を備え、
前記受信端末の前記通知手段は、前記判別手段により、前記報知情報の送信元の前記撮影端末が、前記判別手段により自機との間で近距離通信可能なものであると判別された場合に通知処理を行う受信端末。
【請求項１０】
請求項８に記載の受信端末であって、
自機との間で近距離無線通信可能な端末装置の識別情報を記憶保持する識別情報記憶手段と、
前記報知情報受信手段を通じて前記報知情報を受信した場合に、前記報知情報の送信元の撮影端末が、前記識別情報記憶手段に前記識別情報が登録され、自機との間で近距離通信可能なものであるか否かを判別する判別手段と
を備え、
前記属性情報提供要求送信手段は、前記判別手段により、前記報知情報の送信元の前記撮影端末が、前記判別手段により自機との間で近距離通信可能なものであると判別された場合に前記属性情報の提供要求を送信する受信端末。
【請求項１１】
撮像手段を通じて、被写体の画像を撮影して、当該画像の画像データを生成する撮像工程と、
前記撮像工程において生成した画像データを記憶手段に記録する記録工程と、
前記撮像工程において撮影を行ったときに、撮影を行ったことを報知する報知情報を、報知情報送信手段を通じて近距離無線通信により送信する報知情報送信工程と、
前記報知情報を受信した受信端末から近距離無線通信により送信されてくる報知対象の画像データの提供要求を、画像データ提供要求受信手段を通じて受信する画像データ提供要求受信工程と、
前記画像データ提供要求受信工程において、前記画像データの提供要求を受信した場合に、当該報知対象の画像データを、画像データ送信手段を通じて近距離無線通信により要求元の受信端末に送信する画像データ送信工程と
を撮影端末が行い、
近距離無線通信により前記撮影端末から送信されてくる前記報知情報を、報知情報受信手段を通じて受信する報知情報受信工程と、
前記報知情報受信工程において、前記報知情報を受信した場合に、撮影が行われたことを、通知手段を通じてユーザーに通知する通知工程と、
前記通知工程を通じて撮影が行われたことの通知を行った場合に、報知対象の画像データの提供を要求するか否かの選択入力を受付手段を通じて受け付ける受付工程と、
前記受付工程を通じて、報知対象の画像データの提供を要求することが選択された場合に、報知対象の画像データの提供要求を、画像データ提供要求送信手段を通じて報知元の前記撮影端末に近距離無線通信により送信する画像データ提供要求送信工程と、
前記画像データの提供要求に応じて、前記撮影端末から近距離無線通信により送信されてくる報知対象の画像データを、画像データ受信手段を通じて受信する画像データ受信工程と
を１以上の受信端末が行う撮影画像送受信方法。
【請求項１２】
撮像手段を通じて、被写体の画像を撮影して、当該画像の画像データを生成する撮像工程と、
前記撮像工程において生成した画像データを記憶手段に記録する記録工程と、
前記撮像工程において撮影を行ったときに、撮影を行ったことを報知する報知情報を、報知情報送信手段を通じて近距離無線通信により送信する報知情報送信工程と、
前記報知情報を受信した受信端末から近距離無線通信により送信されてくる報知対象の画像データの提供要求を、画像データ提供要求受信手段を通じて受信する画像データ提供要求受信工程と、
前記画像データ提供要求受信工程において、前記画像データの提供要求を受信した場合に、当該報知対象の画像データを、画像データ送信手段を通じて近距離無線通信により要求元の受信端末に送信する画像データ送信工程と
を有する撮影端末の撮影画像提供方法。
【請求項１３】
撮影機能を有する撮影端末から近距離無線通信により送信されてくる、撮影を行ったことを報知する報知情報を、報知情報受信手段を通じて受信する報知情報受信工程と、
前記報知情報受信工程において、前記報知情報を受信した場合に、通知手段を通じて、撮影が行われたことをユーザーに通知する通知工程と、
前記通知工程を通じて撮影が行われたことの通知を行った場合に、報知対象の画像データの提供を要求するか否かの選択入力を受付手段を通じて受け付ける受付工程と、
前記受付工程を通じて、報知対象の画像データの提供を要求することが選択された場合に、報知対象の画像データの提供要求を、画像データ提供要求送信手段を通じて報知元の前記撮影端末に近距離無線通信により送信する画像データ提供要求送信工程と、
前記画像データの提供要求に応じて、前記撮影端末から近距離無線通信により送信されてくる報知対象の画像データを、画像データ受信手段を通じて受信する画像データ受信手段と
を受信端末が行う撮影画像取得方法。
【請求項１４】
撮像手段を通じて、被写体の画像を撮影して、当該画像の画像データを生成する撮像ステップと、
前記撮像ステップにおいて生成した画像データを記憶手段に記録する記録ステップと、
前記撮像ステップにおいて撮影を行ったときに、撮影を行ったことを報知する報知情報を、報知情報送信手段を通じて近距離無線通信により送信する報知情報送信ステップと、
前記報知情報を受信した受信端末から近距離無線通信により送信されてくる報知対象の画像データの提供要求を、画像データ提供要求受信手段を通じて受信する画像データ提供要求受信ステップと、
前記画像データ提供要求受信ステップにおいて、前記画像データの提供要求を受信した場合に、当該報知対象の画像データを、画像データ送信手段を通じて近距離無線通信により要求元の受信端末に送信する画像データ送信ステップと
を撮影端末に搭載されたコンピュータが実行する撮影画像提供プログラム。
【請求項１５】
撮影機能を有する撮影端末から近距離無線通信により送信されてくる、撮影を行ったことを報知する報知情報を、報知情報受信手段を通じて受信する報知情報受信ステップと、
前記報知情報受信ステップにおいて前記報知情報を受信した場合に、通知手段を通じて、撮影が行われたことをユーザーに通知する通知ステップと、
前記通知ステップを通じて撮影が行われたことの通知を行った場合に、報知対象の画像データの提供を要求するか否かの選択入力を、受付手段を通じて受け付ける受付ステップと、
前記受付ステップを通じて、報知対象の画像データの提供を要求することが選択された場合に、報知対象の画像データの提供要求を、画像データ提供要求送信手段を通じて報知元の前記撮影端末に近距離無線通信により送信する画像データ提供要求送信ステップと、
前記画像データの提供要求に応じて、前記撮影端末から近距離無線通信により送信されてくる報知対象の画像データを、画像データ受信手段を通じて受信する画像データ受信ステップと
を受信端末に搭載されたコンピュータが実行する撮影画像取得プログラム。
【発明の詳細な説明】
【技術分野】
【０００１】
この発明は、例えば、近距離無線通信機能を備えたデジタルカメラやカメラ付き携帯電話端末などの端末と、当該端末との間で近距離無線通信が可能な端末とによって構成されるシステム、当該システムに用いられる装置、当該システムや当該装置において用いられる方法、プログラムに関する。
【背景技術】
【０００２】
デジタルカメラや携帯電話端末の中には、近距離無線通信機能を備え、当該近距離無線通信機能を備えた機器間において、種々のデータの送受を行うことができるようにされたものがある。
【０００３】
例えば、近距離無線通信機能を備えた携帯電話端末間においては、当該近距離無線通信機能を用いて、電話番号、電子メールアドレスなどを含むアドレス情報を交換するなどのことが行われている。
【０００４】
また、近距離無線通信機能を用いて、いわゆる待ち受け画面などの画像データや、種々のテキストデータ等を、携帯電話端末間で、あげたり、もらったりするなどのことも行われている。
【０００５】
また、後に記す特許文献１には、近距離無線通信機能を有する電子カメラが、撮影時において、近距離無線通信機能により被写体に関する情報を収集し、これを撮影して得た画像データに付加して記録する技術が開示されている。
【０００６】
この場合に、被写体に関する情報は、例えば被写体が持っている近距離無線通信機能を備えた携帯電話端末などから収集することが説明されている。
【０００７】
この引用文献１に記載の技術を用いることにより、撮影することにより得た画像データに対して自動的に被写体に関する情報を付加することができる。したがって、必要に応じて被写体に関する情報を迅速に確認することができるようにされる。
【先行技術文献】
【特許文献】
【０００８】
【特許文献１】特開２００８−２５２９３０号公報
【発明の概要】
【発明が解決しようとする課題】
【０００９】
ところで、従来、デジタルカメラで撮影した写真データを、赤外線通信やＢｌｕｅｔｏｏｔｈなどの近距離無線通信を使って被写体となった人物の端末との間で共有するためには、送信画像の選択や送信相手の探索・選択等、煩雑な操作が必要となっている。
【００１０】
このため、被写体となる人物が多く、撮影者が多くの人物に対して撮影画像の送信を行う場合、撮影者はその相手の数だけ送信手続きを繰り返す必要があり、操作が煩雑となり、手間や時間がかかっているのが実情である。
【００１１】
以上のことに鑑み、この発明は、撮影を行った場合に、撮影することにより得た画像データを、それぞれのユーザーが煩雑な操作を行うことなく、周囲の機器との間で適切に共有できるようにすることを目的とする。
【課題を解決するための手段】
【００１２】
上記課題を解決するため、請求項１に記載の発明の撮影画像送受信システムは、
被写体の画像を撮影して、当該画像の画像データを生成する撮像手段と、
前記撮像手段を通じて生成した画像データを記憶する記憶手段と、
前記撮像手段を通じて撮影を行ったときに、撮影を行ったことを報知する報知情報を、近距離無線通信により送信する報知情報送信手段と、
前記報知情報を受信した受信端末から近距離無線通信により送信されてくる報知対象の画像データの提供要求を受信する画像データ提供要求受信手段と、
前記画像データ提供要求受信手段を通じて、前記画像データの提供要求を受信した場合に、当該報知対象の画像データを、近距離無線通信により要求元の受信端末に送信する画像データ送信手段と
を備える撮影端末と、
近距離無線通信により前記撮影端末から送信されてくる前記報知情報を受信する報知情報受信手段と、
前記報知情報受信手段を通じて前記報知情報を受信した場合に、撮影が行われたことをユーザーに通知する通知手段と、
前記通知手段を通じて撮影が行われたことの通知を行った場合に、報知対象の画像データの提供を要求するか否かの選択入力を受け付ける受付手段と、
前記受付手段を通じて、報知対象の画像データの提供を要求することが選択された場合に、報知対象の画像データの提供要求を報知元の前記撮影端末に近距離無線通信により送信する画像データ提供要求送信手段と、
前記画像データの提供要求に応じて、前記撮影端末から近距離無線通信により送信されてくる報知対象の画像データを受信する画像データ受信手段と
を備える１以上の受信端末と
からなる。
【００１３】
この請求項１に記載の発明の撮影画像送受信システムによれば、撮影機能を備えた撮影端末と受信端末とが近距離無線通信により接続される。撮影端末において、撮影手段を通じて撮影が行われ、画像データが記録媒体に記録されると、報知情報送信手段により、撮影を行ったことを報知するための報知情報が近距離無線通信により送信される。
【００１４】
受信端末においては、報知情報受信手段を通じて、撮影端末からの報知情報が受信されると、撮影が行われたことが通知手段を通じて受信端末のユーザーに通知される。この後、受信端末において、受付手段を通じて、報知対象の画像データの提供を要求することが選択されると、画像データ提供要求送信手段を通じて報知対象の画像データの提供要求が報知情報の送信元の撮影端末に送信される。
【００１５】
撮影端末においては、画像データ提供要求受信手段を通じて画像データの提供要求が受信されると、画像データ送信手段により、報知対象の画像データが要求元の受信端末に送信される。当該受信端末においては、自機が要求し、撮影端末から送信されてくる画像データが画像データ受信手段を通じて受信され、当該画像データが自機において利用可能にされる。
【００１６】
これにより、撮影端末は撮影を行った場合に、近隣に位置する受信端末に撮影を行ったことを自動的に報知し、画像データの提供を要求してきた受信端末に対してのみ、撮影することにより得た画像データを自動的に提供することができるようにされる。したがって、受信端末は不必要な画像データまで受信しなくてもよいようにされる。
【発明の効果】
【００１７】
撮影を行った場合に、近隣に位置する端末のうち、画像データの提供を要求してきた端末に対してのみ、撮影することにより得た画像データを自動的に提供することができる。
【図面の簡単な説明】
【００１８】
【図１】この発明の一実施の形態が適用された撮影画像送受信システムの概要を説明するための図である。
【図２】この発明によるシステムの一実施の形態の撮影画像送受信システムを構成する装置であって、この発明による撮影端末１、受信端末２の一実施の形態が適用されて構成された携帯電話端末の構成を説明するためのブロック図である。
【図３】実施の形態の携帯電話端末のＥＥＰＲＯＭ１１１に形成される送信元固有ＩＤリストの一例を説明するための図である。
【図４】受信端末として機能する携帯電話端末に送信元固有ＩＤリストを形成するために、撮影端末として機能する携帯電話端末と受信端末として機能する携帯電話端末とのそれぞれにおいて行われる処理を説明するためのフローチャートである。
【図５】実施の形態の撮影端末１として機能する携帯電話端末において、カメラ機能を用いて撮影を行うようにした場合の処理を説明するためのフローチャートである。
【図６】実施の形態の受信端末２として機能する携帯電話端末において、撮影したことを報知する報知信号を受信するようにしている場合の処理を説明するためのフローチャートである。
【図７】図６に示したステップＳ４０６において、受信端末として機能する携帯電話端末の表示部１１３に表示される画像データの属性情報の表示例を説明するための図である。
【図８】実施の形態の撮影画像送受信システムの動作を説明するためのシーケンスチャートである。
【図９】撮影端末１と受信端末２との間で送受される要求や種々のデータのレイアウト例を説明するための図である。
【図１０】受信端末２として機能する携帯電話端末において、画像受信モード時に実行する処理を説明するためのフローチャートである。
【発明を実施するための形態】
【００１９】
以下、図を参照しながら、この発明のシステム、装置、方法、プログラムの一実施の形態について説明する。
【００２０】
［実施の形態の概要］
まず、この発明の実施の形態の概要について説明する。この発明においては、数ｍ〜数十ｍほどの距離の通信が出来る近距離無線通信の特性を利用して、カメラ機能を有する端末が、写真撮影時に撮影範囲周辺にある端末（例えば携帯電話端末）に対して撮影を行ったことを報知する。
【００２１】
そして、撮影を行ったことの報知を受けた端末が、当該カメラ機能を有する端末において撮影することにより生成された画像データを、必要に応じて、当該カメラ機能を有する端末から近距離無線通信により取得できるようにしている。
【００２２】
このような、この発明の一実施の形態が適用されて形成された撮影画像送受信システムについて説明する。図１は、この発明の一実施の形態が適用された撮影画像送受信システムの概要を説明するための図である。
【００２３】
図１において、端末１は、写真撮影・保存機能（カメラ機能）および近距離無線通信機能を搭載した携帯端末（以下、撮影端末と呼ぶ。）である。この撮影端末１は、上述したカメラ機能を有する端末に相当する。
【００２４】
また、図１において、端末２（１）〜２（４）は、撮影端末１と同方式の近距離無線通信機能を搭載した携帯端末（以下、受信端末と呼ぶ。）であり、被写体となりえるユーザーが身につけている（所持している）ものとする。
【００２５】
これら受信端末２（１）〜２（４）は、写真撮影時に撮影範囲周辺にある端末であって、撮影端末１から撮影を行ったことの報知を受け得る端末である。
【００２６】
そして、撮影端末１および受信端末２（１）〜２（４）に搭載されている近距離無線通信機能には、それぞれの端末に固有のＩＤ（以下、固有ＩＤと呼ぶ。）が付与されているものとする。
【００２７】
すなわち、撮影端末１および受信端末２（１）〜２（４）のそれぞれは、近距離無線通信用の固有ＩＤを有し、相手先を指定して、近距離無線通信により、データの送受を行うことができるようになっている。
【００２８】
また、図１において、扇状の撮影可能範囲１０は、撮影端末１に搭載されているカメラが撮影可能な範囲を表している。すなわち、撮影可能範囲１０は、撮影端末１の中心から撮影可能距離１１を半径とする扇状のエリアであり、撮影端末１のカメラレンズが向いている方向を基準にして、当該カメラレンズを通じて画像の撮影が可能な範囲である。
【００２９】
また、図１において、円状の通信可能範囲２０は、撮影端末１に搭載されている近距離無線通信機能により無線通信可能な範囲を表している。つまり、通信可能範囲２０は、撮影端末１の中心から通信可能距離２１を半径とする円状のエリアであり、撮影端末１との間で近距離無線通信機能により無線通信可能な範囲を示している。
【００３０】
したがって、図１に示した例においては、受信端末２（１）、２（２）は、撮影端末１が画像を撮影することが可能な撮影可能範囲１０に属するが、受信端末２（３）、２（４）は、撮影可能範囲１０には属していない状態になっている。
【００３１】
また、図１に示した例においては、受信端末２（１）、２（２）、２（３）は、撮影端末１との間で近距離無線通信が可能な通信可能範囲２０に属するが、受信端末２（４）は、通信可能範囲２０には属していない状態になっている。
【００３２】
そして、図１に示した状態にあるときに、撮影端末１は、画像の撮影を行うと、自機のカメラ機能により、被写体の画像を取り込んで、画像データを生成し、これを自機の所定のメモリに記録する。
【００３３】
このとき、撮影端末１は、撮影を行ったことを報知するための報知情報を形成し、近距離無線通信機能を用いて当該報知情報を送信することにより、撮影を行ったことを周辺の端末に報知する。
【００３４】
この場合の報知情報は、詳しくは後述もするが、撮影したことを判別するための識別子と、撮影端末を特定するための撮影端末の固有ＩＤを含むものである。そして、当該報知情報は、同方式の近距離無線通信機能を搭載した全ての受信端末を送信対象として送信される。
【００３５】
すなわち、撮影端末１は、いわゆるブロードキャストで報知情報を送信する。撮影端末１は、報知信号を送信後、受信端末からの画像データ（画像ファイル）の提供要求を受け付けられる状態（受信可能な状態）で待機する。
【００３６】
図１に示した例の場合、受信端末２（４）は、通信可能範囲２０には属していないので、撮影端末１からの撮影を行ったことを報知する報知情報を受信することはない。また、受信端末２（４）は、撮影可能範囲１０にも属していないので、そもそも撮影を行ったことを通知する必要もない端末である。
【００３７】
一方、受信側端末２（１）〜２（４）は、撮影端末１からの報知信号を受信できる状態を維持しているものとする。
【００３８】
なお、撮影端末１に近距離無線通信の送信パワーを調整する機能を設けるようにし、通信可能距離２１を撮影可能距離１１に近づけるように送信パワーを調整することで、撮影範囲からに離れた受信端末に報知信号が届かないようにしても良い。
【００３９】
例えば、５メートル先の被写体を撮影するようにした場合に、送信パワーを制御し、近距離無線通信により通信可能な距離を、例えば６メートル以内に制限するようにするなどのことが可能である。
【００４０】
図１に示した例の場合、受信端末２（１）、２（２）、２（３）は、いずれも通信可能範囲２０に属するため、撮影端末１からの撮影を行ったことを報知する報知情報を受信する。そして、受信端末２（１）、２（２）、２（３）のそれぞれは、受信した報知情報に応じて、ユーザーに対して撮影が行われたことをＬＣＤ表示や音などを用いて通知する。
【００４１】
この場合、受信端末２（１）、２（２）は、撮影可能範囲１０に属しているので、受信端末２（１）、２（２）のユーザーが撮影された画像に写っている可能性がある。これに対して、受信端末２（３）は、撮影可能範囲１０に属していないので、受信端末２（３）のユーザーが撮影された画像に写っている可能性はない。
【００４２】
写真撮影が行われる場合、通常、自分が写っているか否かについては把握している場合が多い。このため、受信端末２（３）のユーザーは、撮影された画像に自分が写っていないことが分っている場合、撮影が行われたことが報知されても、撮影されて生成された画像データの提供を撮影端末１に要求しないようにすることができる。
【００４３】
もちろん、受信端末２（３）のユーザーは、撮影された画像に自分が写っていないことが分っていても、撮影されて生成された画像データの提供を受けたい場合には、画像データの提供要求を撮影端末１に送信して、提供を受けるようにすることもできる。
【００４４】
また、受信端末２（１）、２（２）のユーザーは、撮影された画像に自分が写っていることが分っている場合に、撮影されて生成された画像データの提供を受けたい場合には、画像データの提供要求を撮影端末１に送信して、提供を受けるようにすることができる。
【００４５】
もちろん、受信端末２（１）、２（２）のユーザーは、撮影された画像に自分が写っていることが分っていても、撮影されて生成された画像データが必要ない場合には、撮影されて生成された画像データの提供を撮影端末１に要求しないようにすることもできる。
【００４６】
そして、撮影端末１は、画像データの提供要求を送信してきた受信端末に対してのみ、報知した撮影により生成した画像データ（報知対象の画像データ）を近距離無線通信により送信する。
【００４７】
このように、撮影端末１は、自機のカメラ機能を用いて撮影を行った場合、撮影を行ったことを報知するための報知情報を、近距離無線通信機能を用いて周囲の受信端末に対して送信する。図１に示した例の場合には、通信可能範囲２０内に位置する受信端末２（１）〜２（３）が、報知情報を受信することができる。
【００４８】
受信端末２（１）〜２（３）のそれぞれは、撮影端末１からの報知情報を受信した場合に、自機のユーザーに対して、撮影端末１により撮影が行われたことを通知する。そして、受信端末２（１）〜２（３）は、自機のユーザーが、報知された撮影により生成された画像データ（報知対象の画像データ）の提供を要求するようにした場合においてのみ、当該画像データの提供を撮影端末１に要求する。
【００４９】
これにより、撮影端末１は、撮像を行ったことを報知した場合に、当該撮影により生成した画像データの提供を要求してきた受信端末２（１）〜２（３）に対してのみ、ユーザーの手を煩わせることなく、要求された画像データを提供することができる。
【００５０】
また、撮影端末１の周辺に存在する受信端末２（１）〜２（３）のそれぞれは、撮影されたことが報知された場合であっても、当該撮影により生成された画像データの提供を、ユーザーが望んだ場合においてのみ、当該画像データの提供を受けるようにすることができる。
【００５１】
このように、この発明は、撮影端末１が、撮影を行った場合に、当該カメラ機能を有する端末は、撮影を行ったことを近距離無線通信により周囲の端末に対してのみ報知することができるようにしている。
【００５２】
当該報知を受けた周囲の受信端末２（１）〜２（３）のそれぞれは、撮影が行われたことをユーザーに通知し、ユーザーが報知対象の画像データの取得を指示した場合に、当該画像データの提供要求を近距離無線通信によりカメラ機能を有する端末に送信する。
【００５３】
撮影端末１は、近距離無線通信により画像データの提供要求を送信してきた受信端末に対してのみ、ユーザーの手を介すことなく、撮影することにより得た画像データ（報知対象の画像データ）を近距離無線通信により自動的に提供することができるようにしている。
【００５４】
すなわち、この出願に係る発明は、写真撮影時に被写体や撮影したカメラの近くにいた人物の持つ端末に対して、撮影したことの通知を行う共に、撮影することにより得た画像データを撮影端末１と複数の受信端末とで共有できるようにしている。
【００５５】
［撮影端末１、受信端末２としての携帯電話端末の構成例］
次に、この発明の第１の実施の形態について具体的に説明する。以下においては、この発明による撮影端末、受信端末を、カメラ機能を備えた携帯電話端末に適用した場合を例にして説明する。また、以下に説明する携帯電話端末によって構成される第１の実施の形態の撮影画像送受信システムは、この発明によるシステムの一実施の形態が適用されたものある。
【００５６】
図２は、この発明によるシステムの一実施の形態の撮影画像送受信システムを構成する装置であって、この発明による撮影端末１、受信端末２の一実施の形態が適用されて構成された携帯電話端末の構成を説明するためのブロック図である。すなわち、この実施の形態の携帯電話端末は、図１に示した撮影端末１としても、また、受信端末２としても利用可能なものである。
【００５７】
なお、この実施の形態の携帯電話端末により構成されるシステムは、システムに適用可能なこの発明による方法が適用されたものである。また、この実施の形態の携帯電話端末は、撮影端末あるいは受信端末に対して適用可能なこの発明による方法、プログラムが適用されたものである。
【００５８】
図２に示すように、この実施の形態の携帯電話端末には、制御信号の伝送に用いられる制御ライン（制御バス）１０１と、種々のデータの伝送に用いられるデータライン（データバス）１０２とが設けられている。
【００５９】
制御ライン１０１には、図２に示すように、ＣＰＵ（Central Processing Unit）１３０、通信回路１０４、ＲＯＭ（Read Only Memory）１０９、ＲＡＭ（Random Access Memory）１１０が接続されている。
【００６０】
また、制御ライン１０２には、ＥＥＰＲＯＭ（Electrically Erasable and Programmable ROM）１１１、表示制御部１１２、押下検出部１１５、鳴音制御部１１６、振動装置１１７、近距離無線通信モジュール１１８、カメラモジュール１２０が接続されている。また、制御ライン１０２には、時計回路１２１、クロック信号発生部１４０が接続されている。
【００６１】
データライン１０２には、図２に示すように、通信回路１０４、ＲＯＭ１０９、ＲＡＭ１１０、ＥＥＰＲＯＭ１１１、表示制御部１１２、押下検出部１１５、Ｄ／Ａ変換器１０５、Ａ／Ｄ変換器１０８、鳴音制御部１１６が接続されている。また、データライン１０２には、近距離無線通信モジュール１１８、カメラモジュール１２０が接続されている。
【００６２】
さらに、通信回路１０４には、送受信アンテナ１０３が接続され、表示制御部１１２には、表示部としてのＬＣＤ１１３が接続され、押下検出部１１５には、キー操作部１１４が接続されている。また、近距離無線通信モジュール１１８には、近距離無線通信用送受信アンテナ１１９が接続されている。
【００６３】
また、Ｄ／Ａ変換器１０５と鳴音制御部１１６とには、受話器としても用いられるスピーカ１０６が接続され、Ａ／Ｄ変換器１０８には、送話器として用いられるマイクロホン(図２においては、マイクと記載。)１０７が接続されている。
【００６４】
なお、ここでは、鳴音制御部１１６とＤ／Ａ変換器１０５には、スピーカ１０６が接続されるものとして説明したが、これに限るものではない。そのそれぞれ個別のスピーカを設けるようにすることももちろん可能である。
【００６５】
また、この実施の形態の携帯電話端末は、図示しないが、例えば、充電式バッテリパックを電源として用い、当該携帯電話端末の電源がオンにされている場合に、各回路部分に駆動電源を供給する電源供給回路を備えたものである。
【００６６】
そして、この実施の形態の携帯電話端末は、ＣＰＵ１３０と、ＲＯＭ１０９と、ＲＡＭ１１０と、ＥＥＰＲＯＭ１１１とによりマイクロコンピュータを構成し、このマイクロコンピュータが、この実施の形態の携帯電話端末の各部を制御する制御部としての機能を有するようになっている。
【００６７】
［携帯通信端末の基本的な動作について］
次に、図２に示した構成を有するこの実施の形態の携帯電話端末の動作について説明する。まず、自機への着信時の処理、すなわち、自機にかかってきた電話に応答する場合の処理について説明する。
【００６８】
送信されてくる着信通知信号は、送受信アンテナ１０３、通信回路１０４により受信選局される。通信回路１０４において選局された信号は、通信回路１０４において復調され、この復調された信号が制御ライン１０１を介してＣＰＵ１３０に通知するようにされる。
【００６９】
ＣＰＵ１３０は、受信選局した信号が、自機宛の着信通知信号である場合には、例えば、ＲＯＭ１０９に予め用意されている着信メロディなどの着信音を形成する着信音データを読み出して、これを鳴音制御部１１６に供給する。
【００７０】
鳴音制御部１１６は、これに供給された着信音データからアナログ信号の着信音を形成し、これをスピーカ１０６に供給する。これにより、スピーカ１０６からは、着信音が放音され、着信があることが当該携帯電話端末の使用者に通知される。
【００７１】
同じように、ＣＰＵ１３０は、自機宛の着信通知信号を検出すると、振動装置１１７を制御して振動させることにより、この振動によって着信があることを当該携帯電話端末の使用者に通知するようにすることもできるようにされている。
【００７２】
なお、着信音による着信通知と、振動による着信通知との両方を同時に用いるようにすることも可能であるし、また、どちらか一方のみを用いるようにすることも可能である。
【００７３】
着信音により、あるいは、振動により、当該携帯電話端末の使用者が自己の携帯電話端末に着信があることに気付いた場合には、使用者は、キー操作部１１４に設けられた通話開始キー(オフフックキー)を操作することになる。通話開始キーが操作された場合には、これが押下検出部１１５により検出され、制御ライン１０１を通じてＣＰＵ１３０に通知される。
【００７４】
ＣＰＵ１３０は、押下検出部１１５からの通話開始キーが押下されたことの通知を受け付けると、通信回路１０４を制御して、応答信号を送出するなどの所定の通信回線の接続処理を行なう。これにより、自機に電話をかけてきた通信端末と、自機との間に通信回線が接続され、通話が行なえるようになる。
【００７５】
すなわち、電話をかけてきた相手先からの信号は、送受信アンテナ１０３、通信回路１０４を通じて受信選局される。この受信選局された信号は、通信回路１０４において復調するなどの処理が行われてベースバンド信号とされ、これがデータライン１０２を通じてＤ／Ａ変換器１０５に供給される。
【００７６】
Ｄ／Ａ変換器１０５は、これに供給されたベースバンド信号をアナログ信号に変換して、これをスピーカ１０６に供給する。これにより、相手先から送信されて来た信号に応じた音声がスピーカ１０６より放音される。
【００７７】
また、この携帯電話端末の使用者からの音声は、マイクロホン１０７により集音され、アナログの電気信号としてＡ／Ｄ変換器１０８に供給される。Ａ／Ｄ変換器１０８は、これに供給されたアナログ音声信号をデジタル信号に変換し、データライン１０２を通じて通信回路１０４に供給する。
【００７８】
通信回路１０４は、これに供給されたデジタル信号を含む送信信号を形成して送受信アンテナ１０３を通じて送信する。これにより、ユーザーの音声が通信の相手先に送信するようにされる。このようにして、自機にかかってきた電話に応答し、電話をかけて来た相手先との間に通信回線を接続して通話を行なうようにすることができる。
【００７９】
また、この実施の形態の携帯電話端末から電話をかける場合には、例えば、携帯電話端末のキー操作部１１４に設けられている数字キーを押下操作して目的とする相手先の電話番号を入力する。すると、押下操作された数字キーが押下検出部１１５により検出され、制御ライン１０１を通じてＣＰＵ１３０に通知される。
【００８０】
ＣＰＵ１３０は、これを例えばＲＡＭ１１０に一時記憶し、通話開始キーが押下操作されたことを検出すると、受け付けた電話番号を含む発信信号を形成し、これを通信回路１０４、送受信アンテナ１０３を通じて送信する。
【００８１】
この発信信号は、基地局や交換機などの電話会社側の設備を通じて目的とする相手先の電話端末に送信するようにされる。そして、この発信信号に応じて、相手先が応答操作を行なった時には、相手先から応答信号が送信されて来る。
【００８２】
この相手先からの応答信号を受信すると、ＣＰＵ１３０の制御により、通信回路１０４は、その目的とする相手先との間に通信回線が接続されたことを確認する。そして、前述した着信に応じた場合と同様に、送受信アンテナ１０３、通信回路１０４、Ｄ／Ａ変換器１０５、スピーカ１０６、マイクロホン１０７、Ａ／Ｄ変換器１０８を通じて通話を行なうことができるようにされる。
【００８３】
なお、電話をかける場合には、携帯電話端末に予め登録しておくようにするいわゆる電話帳データの中から目的とする相手先の電話番号を選択し、通話開始キーを押下操作することにより、発信を行なうようにすることもできる。
【００８４】
表示制御部１１２、ＬＣＤ１１３は、種々のガイダンスメッセージや警告メッセージなどを表示したりするために設けられている。ＬＣＤ１１３には、例えば、電話をかけて来た相手先の電話番号、現在時刻、あるいは、上述の電話帳データの登録時や選択時において、電話番号やその電話番号に対応する氏名や名称なども表示される。
【００８５】
すなわち、表示制御部１１２は、ＣＰＵ１３０の制御に応じて、ＬＣＤ１１３に各種の情報を表示する。なお、ＬＣＤ１１３は、比較的に大きな表示画面を有するものあり、種々の表示情報を視認性良くユーザーに提供することができるようにしている。
【００８６】
このようにして、この実施の形態の携帯電話端末は、かかってきた電話に対して応答したり、目的とする相手先に対して電話をかけたりすることができるものである。
【００８７】
さらに、この実施の形態の携帯電話端末は、電話会社側の提供する機能を経由して、インターネットにアクセスし、目的とするホームページにアクセスして情報の検索をしたり、必要な情報をダウンロードしたりすることができる。また、この実施の形態の携帯電話端末は、インターネットを通じての電子メールの送受信をも行うことができる。
【００８８】
この実施の形態の携帯電話端末を通じてインターネットに接続する場合には、ユーザーは、キー操作部１１４に設けられている所定のインターネット接続キーを操作する。すると当該操作は、押下検出部１１５によって検出されて、これに応じたインターネットへの接続要求が押下検出部１１５から制御ライン１０１を通じてＣＰＵ１３０に通知される。
【００８９】
これに応じてＣＰＵ１３０は、制御ライン１０１を通じて通信回路１０４を制御し、通信回路１０４においてインターネットへの接続要求を形成して、これが送受信アンテナ１０３を通じて送信される。このインターネットへの接続要求を受信した電話会社側のシステムは、当該要求に応じて、要求元の携帯電話端末をインターネットに接続するようにする。
【００９０】
これにより、この実施の形態の携帯電話端末はインターネットに接続され、目的とするサーバにアクセスし、パケットデータを送受することにより、必要な情報の提供を要求し、これに応じた情報の提供を受けたりするなどのことができるようにされる。
【００９１】
また、この実施の形態の携帯電話端末は、送信する電子メールをＥＥＰＲＯＭ１１１の送信フォルダ内に作成することもできるようにしている。この場合、携帯電話端末は、キー操作部１１４、押下検出部１１５を通じてユーザーからの文字入力を受け付ける。
【００９２】
この受け付けた文字情報は、ＣＰＵ１３０の制御により、データライン１０２を通じて、ＥＥＰＲＯＭ１１１、表示制御部１１２に供給するようにされる。すなわち、入力された文字情報は、表示制御部１１２を通じて表示部１１３に表示され、ユーザーは、表示部１１３の表示画面に表示される入力した文字情報を確認しながら電子メールを作成することができる。
【００９３】
このようにして、ＥＥＰＲＯＭ１１１内の送信フォルダに形成された送信用の電子メールは、キー操作部１１４に対して電子メールを送信する操作を行うことによって、これが押下検出部１１５で検出されて、制御ライン１０１を通じてＣＰＵ１３０に通知される。ＣＰＵ１３０は、通信回路１０４を制御し、ＥＥＰＲＯＭの送信フォルダ内に作成された電子メールを指示された相手先のメールサーバに送信することができるようにされる。
【００９４】
また、自機への電子メールが自己のメールサーバに蓄積されている場合には、自機宛の電子メールの受信を指示する操作をキー操作部１１４に対して行うと、これが押下検出部１１５によって検出されて制御ライン１０１を通じてＣＰＵ１３０に通知される。
【００９５】
この場合、ＣＰＵ１３０は、通信回路１０４を制御し、自己のメールサーバにアクセスして、自機宛の電子メールをダウンロードしてきて、これをＥＥＰＲＯＭ１１１の受信フォルダに格納する。
【００９６】
このようにしてＥＥＰＲＯＭ１１１内の受信フォルダに格納された自機宛の電子メールは、ＣＰＵ１３０の制御により読み出されて、データライン１０２を通じて表示制御部１１２に供給される。
【００９７】
そして、表示制御部１１２を通じて自機宛の電子メールがＬＣＤ１１３に供給されて、その表示画面に表示することができるようにされている。これにより、相手先からの自機宛の電子メールを取得して、ＬＣＤ１１３に表示して、これを読むこともできるようにされる。
【００９８】
このように、この実施の形態の携帯電話端末は、単に電話通信を行うことができるだけでなく、インターネットへの接続機能をも備え、インターネットを通じて情報の取得や電子メールの送受信などをも行うことができるものである。すなわち、この実施の形態の携帯電話端末は、広域通信機能としては、電話通信の他、インターネットを通じてのデータ通信をも行うことができるものである。
【００９９】
さらに、この実施の形態の携帯電話端末は、近距離無線通信モジュール１１８をも備えており、同方式の近距離無線通信機能を有する機器との間で、情報の送受を行うこともできるようにしている。
【０１００】
なお、この実施の形態の携帯電話端末で用いられる近距離無線通信機能は、上述もしたように、数ｍ〜数十ｍほどの距離の通信を行えるものである。そして、近距離無線通信機能は、通常、近くにいる人の端末との間で、例えば、電子メールアドレスの交換や、画像データの送受などを行う場合などにおいて用いられている。
【０１０１】
また、この実施の形態の携帯電話端末は、カメラモジュール１２０をも備え、被写体の画像を撮影して、これをデジタル画像データとして取り込み、ＥＥＰＲＯＭ１１１に格納することができるものである。
【０１０２】
すなわち、カメラモジュールは、対物レンズ、フォーカス機構、シャッター機構、ＣＣＤ（Charge Coupled Device）等の撮像素子、撮像素子からの画像信号から記録用の画像データを形成する画像信号処理回路等を含むものである。ここで、画像信号処理回路は、撮像素子からの画像信号をデジタル信号に変換し、所定の補正処理を行うなどして、記録用の画像データを形成するものである。
【０１０３】
また、この実施の形態の携帯電話端末は、ＥＥＰＲＯＭ１１１に格納した画像データを必要に応じて読み出し、表示制御部１１２を通じてＬＣＤ１１３に供給して、ＬＣＤ１１３の表示画面に表示するなどして利用することもできるものである。
【０１０４】
また、この実施の形態の携帯電話端末は、時計回路１２１を備えている。この時計回路１２１は、いわゆるカレンダ機能を備え、現在年月日、現在曜日、現在時刻を提供することができると共に、目的とする時間間隔を計測するためのカウンタ機能をも実現することができるものである。
【０１０５】
なお、図２において、クロック信号発生部１４０は、この実施の形態の携帯電話端末の各部に供給するクロック信号を発生させて、目的とする部分に供給するものである。クロック信号発生部１４０は、クロック信号の供給先毎に異なる周波数のクロック信号を形成して供給することができるものである。また、クロック信号発生部１４０は、ＣＰＵ１３０の制御に応じて、クロック信号の供給先毎に生成するクロック信号の周波数を変えることもできるものである。
【０１０６】
このような構成を有する実施の形態の携帯電話端末は、上述もしたように、撮影端末１としても、受信端末２としても機能することができるものである。
【０１０７】
そして、この実施の形態の携帯電話端末が、撮影端末１として機能する場合には、カメラモジュール１２０を通じて画像の撮影を行った場合には、上述もしたように、撮影を行ったことを近距離無線通信により周囲の受信端末に報知する。
【０１０８】
この後、撮影端末１としての携帯電話端末は、近距離無線通信機能を用いて、画像データの提供要求を受信するようにし、画像データの提供要求を送信してきた受信端末に対してのみ、近距離無線通信により報知対象の画像データを送信する。
【０１０９】
一方、この実施の形態の携帯電話端末が、受信端末２として機能する場合には、上述もしたように、近距離無線通信により送信されてくる撮影を行ったことを報知するための報知信号を受信するようにする。
【０１１０】
そして、当該報知信号を受信したときには、撮影が行われたことをユーザーに通知し、ユーザーが当該撮影により生成された画像データを取得する操作を行った場合に、画像データの提供要求を形成し、これを近距離無線通信により撮影端末１に送信する。
【０１１１】
そして、受信端末２としての当該携帯電話端末は、撮影端末１から近距離無線通信により送信されてくる画像データを受信し、自機のメモリに格納するなどして、自機において利用可能にする。
【０１１２】
［送信元固有ＩＤリスト］
上述した構成を有するこの実施の形態の携帯電話端末が、受信端末として機能する場合において、撮影通知を受け付ける撮影端末を限定するために、各受信端末は、予め撮影通知を受け付ける撮影端末の固有ＩＤリスト（送信元固有ＩＤリスト）を保持している。当該送信元固有ＩＤリストは、例えば、ＥＥＰＲＯＭ１１１に形成される。
【０１１３】
この送信元固有ＩＤリストは、不要な相手先からの報知情報には反応しないようにするために、基本的には、近距離無線通信において、報知情報の送信元として想定される相手先の固有ＩＤのみを有していればよいものである。
【０１１４】
しかし、送信元固有ＩＤリストは、近距離無線通信用の固有ＩＤと、電話帳などのアプリケーションに登録されている名前、電話番号、メールアドレスなどの個人情報とを紐付けて登録しておくようにしても良い。
【０１１５】
このように、送信元固有ＩＤリストに、撮影端末の近距離無線通信用の固有ＩＤと、当該撮影端末のユーザーの名前などの種々の情報を関連付けて登録しておくことにより、受信端末が撮影端末のユーザーを認識できるようにするなどの点で便利である。
【０１１６】
図３は、この実施の形態の携帯電話端末のＥＥＰＲＯＭ１１１に形成される送信元固有ＩＤリストの一例を説明するための図である。図３に示すように、この例の送信元固有ＩＤリストは、近距離無線通信用アドレスと、メモリＮｏと、名前と、電話番号と、メールアドレスとからなっている。
【０１１７】
近距離無線通信用アドレスは、撮影端末１として自機において認めた端末に固有の近距離無線通信用の固有ＩＤである。メモリＮｏは、当該メモリー（ＥＥＰＲＯＭ１１１）への登録番号を示しており、いわゆる登録順に応じたシーケンス番号である。
【０１１８】
また、名前は、近距離無線通信用アドレスによって特定される撮影端末のユーザーの名前である。また、電話番号は、近距離無線通信用アドレスによって特定される撮影端末に割り当てられているものである。
【０１１９】
なお、この第１の実施の形態においては、撮影端末１及び受信端末２のそれぞれは、図２に示した構成の携帯電話端末であるので、送信元固有ＩＤリストにおける電話番号は、撮影端末に割り当てられた電話番号となる。しかし、撮影端末１が、電話機能を備えない、例えばデジタルカメラなどの場合には、ユーザーの携帯電話端末や自宅の固定電話の電話番号とすることができる。
【０１２０】
また、メールアドレスは、近距離無線通信用アドレスによって特定される撮影端末のユーザーが有するものであり、当該ユーザーに割り当てられているメールサーバの格納領域を特定することができるものである。
【０１２１】
そして、図３に示した例の送信元固有ＩＤリストの場合、少なくとも、近距離無線通信用アドレスが、「00 00 00 00 01 01」の端末と、「00 00 00 00 01 02」の端末と、「00 00 00 00 01 03」の端末が、撮影端末として登録されている。
【０１２２】
そして、それぞれのユーザーが、Ａさん、Ｂさん、Ｃさんであり、そのそれぞれの電話番号とメールアドレスとについても把握することができるようにされている。
【０１２３】
したがって、図３に示した送信元固有ＩＤリストを有する携帯電話端末は、それぞれの近距離無線通信用アドレスによって特定される携帯電話端末からの撮影を行ったことを報知する報知信号のみを自機において有効なものとして扱うようにすることができる。
【０１２４】
なお、図３に示した構成の送信元固有ＩＤリストは、例えば、近距離無線通信により、受信端末として機能する携帯電話端末が、撮影端末として機能する携帯電話端末から情報を得て登録することにより形成することができる。
【０１２５】
また、図３に示した構成の送信元固有ＩＤリストは、公衆電話回線を通じて行う電話通信により、受信端末として機能する携帯電話端末が、撮影端末として機能する携帯電話端末から情報を得て登録することにより形成することができる。
【０１２６】
さらに、この実施の形態の携帯電話端末が、Ｆｅｌｉｃａなどと呼ばれる非接触ＩＣカード技術が適用されている場合には、当該技術を用いて、必要な情報を送受し、受信端末として機能する携帯電話端末に送信元固有ＩＤリストを形成することもできる。
【０１２７】
この場合には、受信端末として機能する携帯電話端末と、撮影端末として機能する携帯電話端末とを近接させることにより、受信端末として機能する携帯電話端末が撮影端末として機能する携帯電話端末から情報を得て送信元固有ＩＤリストを形成する。
【０１２８】
また、例えば、撮影端末として機能する携帯電話端末の表示部１１３に表示した近距離無線通信用アドレス、名前、電話番号、メールアドレスなどの情報を、受信端末として機能する携帯電話端末に手入力して、送信元固有ＩＤリストを形成してもよい。
【０１２９】
ただし、簡単かつ正確に送信元固有ＩＤリストを形成するためには、できるだけユーザーの手を介在させること無く、何らかの通信により、必要な情報を送受して、受信端末として機能する携帯電話端末に送信元固有ＩＤリストを形成することが望ましい。
【０１３０】
［送信元固有ＩＤリストを形成する処理の例］
次に、図３を用いて説明した送信元固有ＩＤリストを形成する場合の処理の一例について説明する。ここでは、撮影端末１として機能する携帯電話端末と受信端末２として機能する携帯電話端末とが共に有する近距離無線通信機能を通じて必要な情報の送受を行い、受信端末として機能する携帯電話端末に送信元固有ＩＤリストを形成する場合を説明する。
【０１３１】
図４は、受信端末として機能する携帯電話端末に送信元固有ＩＤリストを形成するために、撮影端末１として機能する携帯電話端末と受信端末２として機能する携帯電話端末とのそれぞれにおいて行われる処理を説明するためのフローチャートである。
【０１３２】
すなわち、図４（Ａ）は、撮影端末１として機能する携帯電話端末において実行される固有ＩＤ提供処理を説明するためのフローチャートである。また、図４（Ｂ）は、受信端末２として機能する携帯電話端末において実行される固有ＩＤ取得処理を説明するためのフローチャートである。
【０１３３】
図４（Ａ）に示す処理は、受信端末２として機能する携帯電話端末のユーザーから要請を受けた撮影端末１として機能する携帯電話端末のユーザーが、自己の携帯電話端末の例えばメニューから固有ＩＤ提供処理に対応する項目を選択した場合に実行される。
【０１３４】
当該処理は、キー操作部１１４を通じて受け付けるユーザーからの指示に応じて、ＲＯＭ１０９に記憶されている該当プログラムが、ＣＰＵ１３０によって読み出されて実行される。
【０１３５】
また、図４（Ｂ）に示す処理は、受信端末２として機能する携帯電話端末のユーザーが、自己の携帯電話端末の自己の携帯電話端末の例えばメニューから固有ＩＤ提供処理に対応する項目を選択した場合に実行される。
【０１３６】
当該処理は、撮影端末１として機能する携帯電話端末のユーザーに固有ＩＤの提供処理を実行することを要請した後に実行するようにされる。具体的には、キー操作部１１４を通じて受け付けるユーザーからの指示に応じて、ＲＯＭ１０９に記憶されている該当プログラムが、ＣＰＵ１３０によって読み出されて実行される。
【０１３７】
そして、撮影端末１と機能する携帯電話端末においては、図４（Ａ）に示す処理が実行するようにされると、受信端末２として機能する携帯電話端末からの固有ＩＤ提供要求の受信待ち受け状態となる（ステップＳ１０１）。
【０１３８】
具体的に、ステップＳ１０１においては、ＣＰＵ１３０が、近距離無線通信モジュール１１８を制御し、送受信アンテナ１１９、近距離無線通信モジュール１１８を通じて固有ＩＤ提供要求の受信を行うようにする。
【０１３９】
そして、撮影端末１として機能する携帯電話端末のＣＰＵ１３０は、固有ＩＤ提供要求を受信したか否かを判断し（ステップＳ１０２）、受信していないと判断したときには、ステップＳ１０１からの処理を繰り返すようにする。
【０１４０】
ステップＳ１０２の判断処理において、固有ＩＤ提供要求を受信したと判断したときには、要求元の携帯電話端末に対して、自機の近距離無線通信用の固有ＩＤを送信する（ステップＳ１０３）。
【０１４１】
この時、撮影端末１として機能する携帯電話端末のＣＰＵ１３０は、ユーザーの名前、電話番号、メールアドレスなどを含めて、要求元の携帯電話端末に対して固有ＩＤを送信するようにしてもよい。
【０１４２】
そして、撮影端末１として機能する携帯電話端末のＣＰＵ１３０は、送受信アンテナ１１９、近距離無線通信モジュール１１８を通じて、固有ＩＤ提供要求元の携帯電話端末からの応答の受信待ち受け状態となる（ステップＳ１０４）。
【０１４３】
具体的に、ステップＳ１０４においては、ＣＰＵ１３０が、近距離無線通信モジュール１１８を制御し、送受信アンテナ１１９、近距離無線通信モジュール１１８を通じて固有ＩＤ提供要求の送信元からの応答情報の受信を行うようにする。
【０１４４】
そして、撮影端末１として機能する携帯電話端末のＣＰＵ１３０は、固有ＩＤ提供要求元の端末からの完了応答を受信したか否かを判断し（ステップＳ１０５）、受信していないと判断したときには、ステップＳ１０３からの処理を繰り返すようにする。
【０１４５】
ステップＳ１０５の判断処理において、固有ＩＤ提供要求元の端末からの完了応答を受信したと判断したときには、図４（Ａ）に示す処理を終了する。
【０１４６】
一方、受信端末２と機能する携帯電話端末においては、図４（Ｂ）に示す処理が実行するようにされると、固有ＩＤ提供要求を形成し、これを固有ＩＤ提供要求の受信待ち受け状態になっている近隣の携帯電話端末（撮影端末）に送信する（ステップＳ２０１）。
【０１４７】
具体的に、ステップＳ２０１においては、ＣＰＵ１３０が、自機の固有ＩＤを含む固有ＩＤ提供要求を形成し、これを近距離無線通信モジュール１１８、送受信アンテナ１１９を通じて送信する。
【０１４８】
そして、要求元の当該受信端末２として機能する携帯電話端末は、撮影端末１として機能する携帯電話端末からの固有ＩＤの受信待ち受け状態となる（ステップＳ２０２）。
【０１４９】
このステップＳ２０２においては、ＣＰＵ１３０が、近距離無線通信モジュール１１８を制御し、送受信アンテナ１１９、近距離無線通信モジュール１１８を通じて送信されてくる自機宛の固有ＩＤの受信を行うようにする。
【０１５０】
そして、要求元の当該受信端末２として機能する携帯電話端末のＣＰＵ１３０は、自機宛の固有ＩＤを受信したか否かを判断し（ステップＳ２０３）、受信していないと判断したときには、ステップＳ２０２からの処理を繰り返すようにする。
【０１５１】
ステップＳ２０３の判断処理において、自機宛の固有ＩＤを受信したと判断したときには、ＣＰＵ１３０は、受信した固有ＩＤを所定のメモリ（この例の場合にはＥＥＰＲＯＭ１１１）に格納する（ステップＳ２０４）。
【０１５２】
そして、ＣＰＵ１３０は、目的とする固有ＩＤを受信して、ＥＥＰＲＯＭ１１１に格納できたか否か、つまり、目的とする固有ＩＤを正常に取得して格納できたか否かを判断する（ステップＳ２０５）。
【０１５３】
ステップＳ２０５の判断処理において、目的とする固有ＩＤを正常に取得して格納できたと判断したときには、ＣＰＵ１３０は、固有ＩＤを送信してきた相手先に対する完了応答を形成し、これを送信する（ステップＳ２０６）。
【０１５４】
すなわち、当該受信端末２として機能する携帯電話端末のＣＰＵ１３０は、固有ＩＤの送信元を送信の相手先とする完了応答を形成し、これを近距離無線通信モジュール１１８、送受信アンテナ１１９を通じて送信する。そして、ステップＳ２０６の処理の後、図４（Ｂ）の処理を終了する。
【０１５５】
また、ステップＳ２０５の判断処理において、目的とする固有ＩＤを正常に取得して格納できていないと判断したときには、ＣＰＵ１３０は、固有ＩＤを送信してきた相手先に対する再送応答を形成し、これを送信する（ステップＳ２０７）。
【０１５６】
すなわち、当該受信端末２として機能する携帯電話端末のＣＰＵ１３０は、固有ＩＤの送信元を送信の相手先とする固有ＩＤの再送応答を形成し、これを近距離無線通信モジュール１１８、送受信アンテナ１１９を通じて送信する。そして、ステップＳ２０２の処理から繰り返すようにする。
【０１５７】
このように、撮影端末１として機能する携帯電話端末と受信端末２として機能する携帯電話端末との間において、近距離無線通信により必要な情報の送受を行い、受信端末２として機能する携帯電話端末のＥＥＰＲＯＭ１１１に送信元固有ＩＤリストを形成することができる。
【０１５８】
このようにすれば、受信端末２として機能する携帯電話端末のユーザーは、固有ＩＤなどの情報をいちいち手入力する必要は無いので、近距離無線通信用の固有ＩＤなどの必要な情報を通信により得て、これを自機のメモリに格納し利用することができる。
【０１５９】
なお、この例においては、名前、電話番号、メールアドレスなどの情報も、撮影端末１として機能する携帯電話端末から提供を受けうことが可能であることを説明した。しかし、これに限るものではない。
【０１６０】
名前、電話番号、メールアドレスなどの情報は、近距離無線通信用の固有ＩＤの提供を受けた受信端末２として機能する携帯電話端末のユーザーが、手入力により、自機のメモリに登録することも可能である。
【０１６１】
つまり、最も重要な近距離無線通信用の固有ＩＤだけを近距離無線通信により提供を受けて、その他の情報は、固有ＩＤの提供を受けた携帯電話端末のユーザーが手入力するようにすることも可能である。
【０１６２】
また。最も重要な近距離無線通信用の固有ＩＤだけを近距離無線通信により提供を受けて、その他の情報は、既に受信端末２として機能する携帯電話端末に電話帳データとして記憶保持されているものをユーザーが紐付けるようにしてももちろんよい。
【０１６３】
［撮影端末１と受信端末２の処理］
次に、上述したように携帯電話端末として実現される撮影端末１の撮影を行う場合の処理と、受信端末２の撮影が行われたことを報知する報知信号を受信するようにしている場合の処理について、図５、図６のフローチャートを参照しながら説明する。
【０１６４】
［撮影端末１の撮影を行う場合の処理］
まず、撮影端末１として機能する携帯電話端末の処理（動作）について説明する。図５は、この実施の形態の撮影端末１として機能する携帯電話端末において、カメラ機能を用いて撮影を行うようにした場合の処理を説明するためのフローチャートである。
【０１６５】
図５に示す処理は、この実施の形態の携帯電話端末が、例えば、操作部１１４を通じてカメラモードに切り替えるようにする操作を受け付けた場合に、ＣＰＵ１３０がＲＯＭ１０９から所定のプログラムを読み出して実行することにより行われる処理である。
【０１６６】
図５に示す処理が実行するようにされると、ＣＰＵ１３０は、キー操作部１１４、押下検出部１１５を通じて受け付けるユーザーからのシャッター操作に応じて、カメラモジュール１２０を通じて被写体の画像を撮影する処理を実行する（ステップＳ３０１）。このステップＳ３０１の処理は、カメラモジュール１２０を通じて被写体の画像を取り込み、当該画像の画像データを生成する処理である。
【０１６７】
この後、ＣＰＵ１３０は、カメラモジュール１２０を通じて撮影して生成した画像データを、自機の所定のメモリ（この例の場合にはＥＥＰＲＯＭ１１１）の所定のエリアに格納（保存）する（ステップＳ３０２）。
【０１６８】
そして、ＣＰＵ１３０は、撮影を行ったことを報知する報知信号を生成し、これを近距離無線通信により、いわゆるブロードキャストで周囲の受信端末２に対して送信することにより、撮影を行ったことを周囲の受信端末２に報知する（ステップＳ３０３）。
【０１６９】
この後、ＣＰＵ１３０は、受信端末２からのデータ取得要求の受信待ち受け状態となる（ステップＳ３０４）。具体的に、ステップＳ３０４においては、ＣＰＵ１３０が、近距離無線通信モジュール１１８を制御し、送受信アンテナ１１９、近距離無線通信モジュール１１８を通じて、受信端末２からのデータ取得要求の受信を行うようにする。
【０１７０】
そして、撮影端末１として機能する当該携帯電話端末のＣＰＵ１３０は、データ取得要求を受信したか否かを判断し（ステップＳ３０５）、受信していないと判断したときには、データの提供要求は特に無いので、この図５に示す処理を終了する。
【０１７１】
ステップＳ３０５の判断処理により、データ取得要求を受信した判断したときには、ＣＰＵ１３０は、受信端末２からのデータ取得要求に応じたデータを用意し、これを要求元の受信端末２に対して送信する（ステップＳ３０６）。
【０１７２】
なお、受信端末２からのデータ取得要求としては、大別すると、撮影することにより得られた画像データについての属性情報の提供を要求するものと、報知対象の画像データ自体の提供を要求するものの２種類がある。
【０１７３】
そして、ステップＳ３０６においては、ＣＰＵ１３０は、受信端末２からの要求に応じて、そのそれぞれを用意し、要求元の受信端末２に対して送信して提供することができるようにしている。
【０１７４】
この後、ＣＰＵ１３０は、受信端末２からの追加のデータ取得要求の受信待ち受け状態となる（ステップＳ３０７）。このステップＳ３０７の処理も、上述したステップＳ３０４の処理と同様に、ＣＰＵ１３０が、近距離無線通信モジュール１１８を制御し、送受信アンテナ１１９、近距離無線通信モジュール１１８を通じて、受信端末２からの追加のデータ取得要求を受信するようにする。
【０１７５】
そして、撮影端末１として機能する携帯電話端末のＣＰＵ１３０は、追加のデータ取得要求を受信したか否かを判断し（ステップＳ３０８）、受信していないと判断したときには、データの提供要求は特に無いので、この図５に示す処理を終了する。
【０１７６】
また、ステップＳ３０８の判断処理により、追加のデータ取得要求を受信した判断したときには、ＣＰＵ１３０は、ステップＳ３０６からの処理を繰り返すようにする。このようにステップＳ３０６からの処理を繰り返すことにより、受信端末２からの追加のデータ取得要求に応じたデータを用意し、これを要求元の受信端末２に対して送信することができるようにされる。
【０１７７】
したがって、図５に示した処理を実行する撮影端末１として機能する当該携帯電話端末は、カメラモジュール１２０を通じて撮影を行った場合には、撮影を行ったことを近距離無線通信により到達可能な範囲の周囲の受信端末２に対して報知することができる。
【０１７８】
そして、周囲の受信端末２から近距離無線通信により送信されてくるデータ提供要求に応じて、撮影することにより得た画像データの属性情報（撮影日時、データサイズ、サムネイル画像等）を、要求元の受信端末に対して近距離無線通信により提供することができる。
【０１７９】
さらに、周囲の受信端末２から近距離無線通信により送信されてくる追加のデータ提供要求に応じて、今回撮影することにより得た画像の画像データ（報知対象の画像データ）を、要求元の受信端末２に対して近距離無線通信により提供することができる。
【０１８０】
［受信端末２の報知信号を受信するようにしている場合の処理］
次に、受信端末２として機能する携帯電話端末の処理（動作）について説明する。図６は、この実施の形態の受信端末２として機能する携帯電話端末において、撮影したことを報知する報知信号を受信するようにしている場合の処理を説明するためのフローチャートである。
【０１８１】
図６に示す処理は、受信端末２として機能するこの実施の形態の携帯電話端末において、カメラ機能を用いる場合や近距離無線通信機能を用いて通信を行っている場合などの所定の場合を除いて、常時、実行するようにされる。
【０１８２】
具体的には、受信端末２として機能する携帯電話端末においては、撮影端末１からの報知信号の受信が可能な状態にある場合に、ＣＰＵ１３０がＲＯＭ１０９から所定のプログラムを読み出して実行することにより行われる処理である。
【０１８３】
もちろん、受信端末１のユーザーが、撮影を行うことを知らせてきたときに、受信端末２として機能するこの実施の形態の携帯電話端末のユーザーが、当該携帯電話端末に対して所定の操作を行った場合に図６に示す処理を実行するようにすることもできる。
【０１８４】
この場合、画像データを取得したら終了するのではなく、ユーザーによって、図６に示す処理の終了が指示されるまで、図６に示す処理を繰り返し行うようにすることもできる。
【０１８５】
そして、図６に示す処理が実行するようにされると、ＣＰＵ１３０は、撮影端末１からの撮影を行ったことを報知する報知信号の受信待ち受け状態となる（ステップＳ４０１）。具体的に、ステップＳ４０１においては、ＣＰＵ１３０が、近距離無線通信モジュール１１８を制御し、送受信アンテナ１１９、近距離無線通信モジュール１１８を通じて、撮影端末１からの報知信号の受信を行うようにする。
【０１８６】
そして、受信端末２として機能する当該携帯電話端末のＣＰＵ１３０は、報知信号を受信したか否かを判断し（ステップＳ４０２）、受信していないと判断したときには、ステップＳ４０１からの処理を繰り返す。
【０１８７】
ステップＳ４０２の判断処理において、報知信号を受信したと判断したときには、ＣＰＵ１３０は、受信した報知信号に含まれる撮影端末の固有ＩＤと、自機に登録済みの送信元の固有ＩＤとを照合する（ステップＳ４０３）。
【０１８８】
すなわち、ステップＳ４０３の処理は、まず、ＣＰＵ１３０は、受信した報知信号に含まれる送信元の撮影端末の固有ＩＤ（近距離無線通信用アドレス）を抽出する。そして、ステップＳ４０３において、ＣＰＵ１３０は、抽出したアドレスと、ＥＥＰＲＯＭ１１１の送信元固有ＩＤリストに登録されている近距離無線通信用アドレスとを照合する処理を行う。
【０１８９】
そして、ＣＰＵ１３０は、受信した報知信号に含まれる固有ＩＤに一致する固有ＩＤが自機に登録済みか否かを判断する（ステップＳ４０４）。
【０１９０】
すなわち、ステップＳ４０３、ステップＳ４０４の処理は、受信した報知信号は、自機が予め報知信号を受信する撮影端末として登録した撮影端末からの報知信号か否かを判断する処理である。
【０１９１】
ステップＳ４０４の判断処理において、受信した報知信号は、予め自機に登録されている撮影端末からのものではないと判断したときには、当該報知信号に対して応答する必要は無いので、この図６に示す処理を終了する。
【０１９２】
また、ステップＳ４０４の判断処理において、受信した報知信号は、予め自機に登録されている撮影端末からのものであると判断したときには、当該撮影端末から、報知対象の画像データについての属性情報を取得する（ステップＳ４０５）。
【０１９３】
ここで、属性情報は、例えば、撮影画像のＥｘｉｆ（Exchangeable Image File Format）データに含まれる情報を利用する。また、属性情報に加えて撮影画像を縮小したサムネイル画像を同時に取得して、ユーザー通知の際に使用しても良い。
【０１９４】
ステップＳ４０５の処理は、報知対象の画像データに対する属性情報の提供要求の生成、送信と、当該属性情報の提供要求に応じて送信されてくる属性情報の受信処理までをも含むものである。
【０１９５】
より具体的には、ステップＳ４０５においては、送信元を当該受信端末２とし、送信先を報知信号を送信してきた撮影端末１とする報知対象の画像データについての属性情報の提供要求を形成し、これを近距離無線通信により送信する。
【０１９６】
さらに、ステップＳ４０５においては、送信した当該属性情報の提供要求に応じて、送信先を当該受信端末２とし、送信元を当該撮影端末１とする属性情報であって、撮影端末１から送信されてくる報知対象の画像データに対する属性情報を受信する。
【０１９７】
この後、受信端末２として機能する携帯電話端末のＣＰＵ１３０は、受信した属性情報を元に、撮影端末１において撮影が行われたことをユーザーに通知し、画像データを取得するか否かの選択入力を受け付けるようにする（ステップＳ４０６）。
【０１９８】
このステップＳ４０６における通知処理は、撮影端末１において撮影が行われたことを通知する情報を表示部１１３に表示するとともに、属性情報を表示したことを音（アラーム音）によりすることにより行う。この場合、アラーム音は、鳴音制御部１１６、スピーカ１０６を通じて放音される。
【０１９９】
図７は、図６に示したステップＳ４０６において、受信端末として機能する携帯電話端末の表示部１１３に表示される画像データの属性情報の表示例を説明するための図である。報知対象の画像データの属性情報には、報知信号の送信元である撮影端末の固有ＩＤが含まれると共に、当該画像データの撮影日時、ファイルサイズ、サムネイルデータが含まれる。
【０２００】
ＣＰＵ１３０は、受信した属性情報から図７に示すように、誰の撮影端末で撮影された画像データであるのかを示すと共に、その画像データのサムネイル画像、その画像データの撮影日時、その画像データの画像サイズを通知するための画像を形成する。
【０２０１】
そして、形成した画像を、表示制御部１１２を通じて、図７に示した態様で、表示部１１３の表示画面に表示するとともに、属性情報を表示したことを、アラーム音を放音することによって通知するようにする。
【０２０２】
これにより、当該受信端末２として機能する携帯電話端末のユーザーは、図７に示した属性情報の表示に基づいて、撮影されて生成された画像データを取得するか否かを判断することができるようにされる。
【０２０３】
この場合、サムネイル画像に基づいて、画像データそのものを必要とするか否かを判断することができると共に、当該画像データのファイルサイズをも考慮して、自機のメモリに格納可能か否かを判断することもできる。
【０２０４】
そして、ユーザーは、図７に示した属性情報の通知画面の下端部に表示されている「はい」、「いいえ」のいずれかを選択する処理を行う。ここで、表示「はい」は、属性情報が表示された報知対象の画像データを取得する場合に選択するものである。また、表示「いいえ」は、属性情報が表示された報知対象の画像データを取得しない場合に選択するものである。
【０２０５】
この後、ＣＰＵ１３０は、ユーザーによって、報知対象の画像データを受信すること、すなわち、報知対象の画像データを取得することが選択されたか否かを判断する（ステップＳ４０７）。
【０２０６】
ステップＳ４０７の判断処理において、報知対象の画像データを取得することが選択されていない（属性情報の表示画面において「いいえ」が選択された）と判断したときには、この図６に示す処理を終了する。
【０２０７】
ステップＳ４０７の判断処理において、報知対象の画像データを取得することが選択された（属性情報の表示画面において「はい」が選択された）と判断したときには、当該撮影端末１から、報知対象の画像データを取得する（ステップＳ４０８）。
【０２０８】
このステップＳ４０８の処理は、報知対象の画像データの提供要求の生成、送信と、当該画像データの提供要求に応じて送信されてくる画像データの受信処理までをも含むものである。
【０２０９】
より具体的には、ステップＳ４０８においては、送信元を当該受信端末２とし、送信先を、報知信号を送信してきた撮影端末１とする報知対象の画像データの提供要求を形成し、これを近距離無線通信により送信する。
【０２１０】
さらに、ステップＳ４０８においては、送信した当該画像データの提供要求に応じて、送信先を当該受信端末２とし、送信元を当該撮影端末１とする画像データであって、撮影端末１から送信されてくる報知対象の画像データを受信する。
【０２１１】
これにより、受信端末２として機能する携帯電話端末が、撮影端末１から撮影を行ったことを報知する報知信号を受信した場合に、報知対象の画像データの属性情報に基づいて、報知対象の画像データを取得すべきか否かを適切に判断することができる。
【０２１２】
そして、報知対象の画像データを取得すべきとユーザーが判断した場合、簡単な操作によって、報知対象の画像データの提供要求を形成して送信し、目的とする報知対象の画像データを取得することができる。
【０２１３】
［撮影画像送受信システムの動作］
次に、この実施の形態の撮影画像送受信システムの動作について、図８のシーケンスチャートを参照しながらまとめる。
【０２１４】
この実施の形態の撮影画像送受信システムは、図２に示した構成を有し、図５に示した処理を実行する撮影端末１と、同じく図２に示した構成を有し、図６に示した処理を実行する受信端末２とによって構成されるものである。
【０２１５】
そして、上述もしたように、近距離無線通信を利用することにより、カメラ機能を用いて撮影を行った場合には、これを周囲の受信端末２に対して報知し、画像データの提供を要求してきた受信端末２に対してのみ報知対象の画像データを提供するようにしている。
【０２１６】
すなわち、図８に示すように、撮影端末１のユーザー１Ｕが、撮影端末１に対して撮影操作を行うと（ステップＳ１）、撮影端末１は、撮影処理を実行する（ステップＳ２）。このステップＳ２の撮影処理は、図５に示したステップＳ３０１及びステップＳ３０２の処理に相当する。
【０２１７】
この後、撮影端末１は、撮影を行ったことを報知するための報知信号を形成し、これを周囲の受信端末２に対して近距離無線通信により送信する（ステップＳ３）。このステップＳ３の撮影報知処理が、図５に示したステップＳ３０３の処理である。
【０２１８】
一方、撮像装置１からの報知信号を受信した受信端末２においては、報知信号の受信処理を行う（ステップＳ４）。このステップＳ４の報知信号の受信処理は、図６に示したステップＳ４０１〜ステップＳ４０４の処理に相当する。
【０２１９】
そして、受信端末２においては、自機に予め固有ＩＤである近距離無線通信用アドレスが登録されている撮影端末１からの報知信号を受信した場合には、当該撮影端末１に対して近距離無線通信により接続要求を送信する（ステップＳ５）。これに対して、撮影端末１は、接続許可を接続要求元の受信端末２に対して近距離無線通信により送信する（ステップＳ６）。
【０２２０】
このステップＳ５、ステップＳ６の処理により、近距離無線通信による通信路が、撮影端末１と受信端末２との間に接続される。
【０２２１】
そして、受信端末２からは、報知対象の画像データの属性情報の提供要求を生成して、報知元の撮影端末１に対して送信する（ステップＳ７）。これに応じて、報知元の撮影端末１は、報知対象の画像データの属性情報を要求元の受信端末２に送信する（ステップＳ８）。
【０２２２】
このステップＳ５〜ステップＳ８までの処理が、図６に示したステップＳ４０５と、図５に示したステップＳ３０４〜ステップＳ３０６の処理に相当する。
【０２２３】
そして、受信端末２においては、撮影端末からの報知対象の画像データの属性情報を受信し、これに基づいて、撮影端末１において撮影が行われたことを図７に示した態様の表示を行うことにより通知し、当該画像データの取得確認を行う（ステップＳ９）。この後、受信端末２においては、報知対象の画像データを取得することの確認入力を受け付ける（ステップＳ１０）。
【０２２４】
このステップＳ９およびステップＳ１０の処理が、図６に示したステップＳ４０６〜ステップＳ４０７の処理に相当する。
【０２２５】
そして、受信端末２において、報知態様の画像データを取得することがユーザーによって指示された場合、当該画像データの提供要求を形成して、報知元の撮影端末１に対して送信する（ステップＳ１１）。これに応じて、報知元の撮影端末１からは、報知対象の画像データが、要求元の受信端末２に対して送信される（ステップＳ１２）。
【０２２６】
この後、受信端末２から接続した近距離無線通信の通信路の切断要求が、報知元の撮影端末１に対して送信され（ステップＳ１３）、これに応じて、報知元の撮影端末１から、報知先の受信端末２に対して切断許可が送信される（ステップＳ１４）。
【０２２７】
このステップＳ１１〜ステップＳ１４までの処理が、図６に示したステップＳ４０８の処理と、図５に示したステップＳ３０７、ステップＳ３０８、ステップＳ３０６に至る処理に相当する。
【０２２８】
このように、この実施の形態の撮影画像送受信システムにおいては、撮影端末１において画像の撮影を行うと、ユーザーの操作を介在させること無く、撮影を行ったことを周囲の受信端末に報知する。そして、データの提供要求を送信してきた受信端末２に対してのみ、ユーザーの操作を介在させること無く、要求された画像データの属性情報や画像データそのものを提供することができる。
【０２２９】
一方、受信端末２においては、登録された撮影端末１からの撮影を行ったことを報知する報知信号に対してだけ応答し、画像データの属性情報を取得してユーザーにこれを通知することができる。そして、ユーザーは、属性情報を確認し、報知対象の画像データが提供を受けるべきものであると判断した画像データのみを取得することができる。
【０２３０】
［近距離無線通信により送受されるデータの基本的なレイアウト例］
図９は、上述した実施の形態において、撮影端末１と受信端末２との間で送受される要求や種々のデータのレイアウト例を説明するための図である。図９に示すように、送受されるデータは、送信先ＩＤ、送信元ＩＤ、データ種別、データの４つの格納領域からなっている。
【０２３１】
送信先ＩＤ（Ｄ１）は、当該データが送信されるべき相手先の固有ＩＤの格納領域である。なお、ブロードキャストキャストで送信するデータである場合、送信先ＩＤには、例えば、オール「０（ゼロ）」などの予め決められた値が設定される。送信元ＩＤ（Ｄ２）は、当該データを送信した端末の固有ＩＤの格納領域である。これら、送信先ＩＤと送信元ＩＤとにより、当該データがどこからどこへ送信されるものかを把握することができる。
【０２３２】
そして、データ種別（Ｄ３）は、当該データの種別（種類）を表す情報（通知する内容の識別子）の格納領域である。具体的には、当該データは、撮影を報知するための報知信号であるのか、接続要求であるのか、接続許可であるのか、画像データの属性情報の提供要求であるのか、画像データの属性情報そのものであるのかなどを示す情報が格納される。このデータ種別は、例えば、予め決められる３桁程度の数字により示される情報である。
【０２３３】
そして、データ（Ｄ４）は、送信の対象となるデータ、例えば、画像データの属性情報や画像データ等の主データが格納されるエリアであり、格納されるデータに応じて可変長とされる。
【０２３４】
送受されるデータの基本的なレイアウトは、図９に示したように構成されるが、例えば、動画データのように、データ量が多いデータの場合には、幾つかに分けて送信することもできるようにされる。この場合には、順番を示す情報なども付加することもできるようにされる。
【０２３５】
なお、図９に示した送受されるデータ等のレイアウトは一例であり、予め取り決めておくことにより、必要に応じて、種々の情報を付加するようにすることもできる。
【０２３６】
［変形例］
上述した実施の形態においては、受信端末２として機能する携帯電話端末には、図３を用いて説明した送信元固有ＩＤリストがＥＥＰＲＯＭ１１１などに予め形成されるものとして説明した。しかし、送信元固有ＩＤリストは必ず必要なものではない。
【０２３７】
例えば、撮影端末１のユーザーが撮影を行う場合に、撮影を行うことを被写体となる人に声を掛けるようにする。そして、声を掛けられた人は、撮影した写真を取得するようにしたい場合に、受信端末として機能する自己の携帯電話端末を画像受信モードとし、撮影端末１からの撮影を行ったことの報知信号を受信する処理を行うようにすることもできる。
【０２３８】
図１０は、この例の受信端末２として機能する携帯電話端末が、上述の画像受信モード時に実行される処理を説明するためのフローチャートである。この図１０に示す処理は、受信端末２として機能する携帯電話端末において、例えば、メニューから画像受信モードに対応する項目を選択するなどの画像取得モードにする所定の操作が行われた場合に、主にＣＰＵ１３０によって実行される。
【０２３９】
また、図１０に示す処理は、図６を用いて説明した処理と同様に行われるステップが多いため、図１０において、図６に示した処理と同様に行われる処理には、図６と同じ参照符号を付し、その部分の説明は簡単にする。
【０２４０】
そして、図１０に示す処理が実行するようにされると、ＣＰＵ１３０は、近距離無線通信モジュール１１８を制御し、撮影端末１からの撮影を行ったことを報知する報知信号の受信待ち受け状態となる（ステップＳ４０１）。この後、ＣＰＵ１３０は、報知信号を受信したか否かを判断し（ステップＳ４０２）、受信していないと判断したときには、ステップＳ４０１からの処理を繰り返す。
【０２４１】
ステップＳ４０２の判断処理において、報知信号を受信したと判断したときには、ＣＰＵ１３０は、当該撮影端末１から、報知対象の画像データについての属性情報を取得する（ステップＳ４０５）。
【０２４２】
ステップＳ４０５の処理は、図６を用いて説明した場合と同様に、報知対象の画像データに対する属性情報の提供要求の生成、送信と、当該属性情報の提供要求に応じて送信されてくる属性情報の受信処理までをも含むものである。
【０２４３】
この後、受信端末２として機能する当該携帯電話端末のＣＰＵ１３０は、受信した属性情報を元に、撮影端末１において撮影が行われたことをユーザーに通知し、画像データを取得するか否かの選択入力を受け付けるようにする（ステップＳ４０６）。
【０２４４】
このステップＳ４０６の処理は、撮影端末１において撮影が行われたことを通知する情報を、表示部１１３に表示することにより行う。具体的には、図７を用いて説明したように、提供を受けた画像データの属性情報の表示を行うと共に、報知対象の画像データを取得するか否かの選択入力を受け付けるようにする。
【０２４５】
この後、ＣＰＵ１３０は、ユーザーによって、報知対象の画像データを受信すること、すなわち、報知対象の画像データを取得することが選択されたか否かを判断する（ステップＳ４０７）。
【０２４６】
ステップＳ４０７の判断処理において、報知対象の画像データを取得することが選択されていない（図７に示した属性情報の表示画面において「いいえ」が選択された）と判断したときには、ステップＳ５０１の処理に進む。
【０２４７】
また、ステップＳ４０７の判断処理において、報知対象の画像データを取得することが選択された（図７に示した属性情報の表示画面において「はい」が選択された）と判断したときには、当該撮影端末１から、報知対象の画像データを取得する（ステップＳ４０８）。
【０２４８】
このステップＳ４０８の処理は、報知対象の画像データの提供要求の生成、送信と、当該画像データの提供要求に応じて送信されてくる画像データの受信処理までをも含むものである。
【０２４９】
ステップＳ４０７の判断処理において、報知対象の画像データを取得することが選択されていないと判断した場合、および、ステップＳ４０８の処理の後においては、ＣＰＵ１３０は、画像受信モードがオフにされたか否かを判断する（ステップＳ５０１）。
【０２５０】
ステップＳ５０１の判断処理において、画像受信モードはオフにされていないと判断したときには、ＣＰＵ１３０は、ステップＳ４０１からの処理を繰り返すようにする。また、ステップＳ５０１の判断処理において、画像受信モードはオフにされたと判断したときには、ＣＰＵ１３０は、この図１０に示す処理を終了する。
【０２５１】
この図１０に示した処理の場合には、受信端末２として機能する携帯電話端末のユーザーが、自機の携帯電話端末を画像受信モードにした場合に、撮影端末１からの報知信号を受信するようにする。
【０２５２】
したがって、図６を用いて説明した処理のように、送信元固有ＩＤリストに基づいて、報知信号の送信先を制限しなくても、意図しない撮影端末からの報知信号を受信することも防止されるので、送信元固有ＩＤリストを用いる必要もないようにすることができる。
【０２５３】
なお、受信端末２として機能する携帯電話端末が、図１０を用いて説明した処理を実行する場合であっても、撮影端末１として機能する携帯電話端末は、図５を用いて説明した処理を行うようにすればよく、特に特別な処理を行う必要もない。
【０２５４】
［その他の変形例］
なお、上述した実施の形態の他にも、個別ＩＤによる認証や、属性情報を用いた報知を行わないようにすることもできる。この場合には、撮影端末１が撮影を行った場合に、これを報知する報知信号を形成して送信する。この報知信号を受信端末２が受信した場合に、ユーザーに報知する。
【０２５５】
そして、当該受信端末２においては、報知対象の画像データを取得するか否かのユーザーの選択入力を受け付け、取得することが選択された場合に、画像データの提供要求を形成して撮影端末１に送信する。
【０２５６】
撮影端末１は、画像データの提供要求を送信してきた受信端末２に対してのみ、報知対象の画像データを提供するようにしてもよい。
【０２５７】
すなわち、撮影端末１においては、図５を用いて説明した処理において、ステップＳ３０７、ステップＳ３０８の処理を省略し、画像データの提供要求だけを受信するようにすることになる。
【０２５８】
これに対応し、受信端末２においては、図６を用いて説明した処理において、ステップＳ４０３〜ステップＳ４０５の処理を省略する。そして、ステップＳ４０６において、報知信号を受信したことを通知して、報知対象の画像データを取得するか否かの選択入力を行うようにすればよい。
【０２５９】
このように、撮影端末１が撮影を行った場合に、これを周囲の受信端末２に報知する。そして、受信端末２においては、認証処理などは行うことなく、報知信号を受信したことをユーザーに通知して、報知対象の画像データを取得するか否かの選択入力を受け付ける。
【０２６０】
そして、受信端末２は、ユーザーが報知対象の画像データを取得することを選択した場合においてのみ、画像データの提供要求を生成して、報知元の撮影端末１に対して送信する。
【０２６１】
これにより、撮影端末１は、報知対象の画像データの取得を要求してきた受信端末２に対してのみに、画像データを提供することができる。
【０２６２】
このように、固有ＩＤを用いた認証や、撮影されて形成された画像データの属性情報を用いた通知処理を行わない場合であっても、撮影することにより得られた画像データの送受処理の自動化を行うことが可能である。
【０２６３】
しかし、上述したように、固有ＩＤを用いた認証処理や、画像データの属性情報を用いた通知処理を行うことによって、不必要な通信を減らし、必要最小限の通信処理によって、撮影することにより得られた画像データを必要な端末に対して自動配信することが可能となる。
【０２６４】
［この発明の方法、プログラム］
なお、上述した実施の形態から明らかなように、この発明の方法、プログラムは、図５、図６、図１０のフローチャートや図８のシーケンスチャートを用いて説明した方法、プログラムとして実現可能である。また、その他の変形例として説明したように、図５、図６の処理のうち、いくつかの処理を省略して行うことが可能な方法、プログラムとしても実現可能である。
【０２６５】
すなわち、図５、図６、図１０のフローチャートや図８のシーケンスチャートを用いて説明した方法、あるいは、図５、図６を変形することにより実現できるものとして説明した方法は、この発明の方法である。
【０２６６】
そして、図５、図６、図１０のフローチャートや図８のシーケンスチャートに応じて形成可能なプログラム、あるいは、図５、図６を変形することにより実現できるプログラムは、この発明のプログラムである。
【０２６７】
したがって、この発明のプログラムを実現し、カメラ付き携帯電話端末やデジタルスチルカメラや種々の画像処理装置に搭載することにより、この発明の画像処理装置を実現することができる。
【０２６８】
［実施の形態の効果］
上述した実施の形態においては、写真撮影したことを、撮影端末１が近距離無線通信を用いて周囲の受信端末２に報知するようにしている。そして、報知信号を受信した受信端末２が、写真が必要と判断したときのみ受信端末２から撮影端末１に対して画像データの取得を要求する。
【０２６９】
このように、上述した実施の形態においては、撮影端末１が撮影した写真を煩雑な操作無しで、例えば被写体の端末（受信端末２）との間で共有することが可能となる。
【０２７０】
また、受信端末２が画像等の情報の受信を要求した場合に撮影端末１との間で通信が発生するため、撮影端末１の負荷の低減することができると共に、近距離無線通信用の通信帯域の有効利用を図ることができる。
【０２７１】
［その他］
なお、上述した実施の形態において、撮像手段はカメラモジュール１２０が、記憶手段はＥＥＰＲＯＭ１１１が実現している。また、報知情報送信手段、画像データ提供要求受信手段、画像データ送信手段のそれぞれは近距離無線通信モジュール１１８、送受信アンテナ１１９が実現している。
【０２７２】
また、報知情報受信手段は近距離無線通信モジュール１１８、送受信アンテナ１１９が実現し、通知手段は表示制御部１１２、表示部１１３、鳴音制御部１１６、スピーカ１１６が実現している。また、受付手段はキー操作部１１４、押下検出部１１５、画像データ提供要求送信手段、画像データ受信手段は近距離無線通信モジュール１１８、送受信アンテナ１１９が実現している。
【０２７３】
なお、上述した実施の形態においては、カメラ機能を備えた携帯電話端末（カメラ付き携帯電話端末）にこの発明を適用した場合を例にして説明したが、これに限るものではない。
【０２７４】
例えば、デジタルスチルカメラやデジタルビデオカメラなどの、静止画像や動画像の撮影が可能な種々の画像処理装置にこの発明を適用し、この発明のシステムを形成することが可能である。
【０２７５】
このように、送受の対象となる画像データは、静止画像データに限るもではなく、動画像データであってももちろんよい。動画像データを送受の対象とする場合には、動画像データの撮影が終了した時点などの決められた時点において、撮影を行ったことの報知を行うようにすればよい。
【０２７６】
また、上述したように、送受対象のデータは画像データである。しかし、これを音声データがテキストデータに拡張することもできる。すなわち、携帯電話端末の音声メモ機能で録音した音声を、周囲の受信端末に提供するようにすることも可能である。
【０２７７】
例えば、同じ会議に参加していた人物の携帯電話端末に対して送信することを目的として、重要な確認事項を音声メモ機能により録音し、録音したことを通知する報知信号を形成し、これを近距離無線通信により周囲の受信端末に送信する。
【０２７８】
そして、報知信号を受信した受信端末から、当該音声データの提供を要求してきた場合に、これを録音した端末が、要求元の端末に対して当該音声データを配信するようにすることも可能である。これと同様にして、テキストメモ情報を、周囲の受信端末に配信するようにすることも可能である。
【符号の説明】
【０２７９】
１…撮影端末、２…受信端末、１０１…制御ライン、１０２…データライン、１０３…送受信アンテナ、１０４…通信回路、１０５…Ｄ／Ａ変換器、１０６…スピーカ、１０７…マイクロホン、１０８…Ａ／Ｄ変換器、１０９…ＲＯＭ、１１０…ＲＡＭ、１１１…ＥＥＰＲＯＭ、１１２…表示制御部、１１３…表示部、１１４…キー操作部、１１５…押下検出部、１１６…鳴動制御部、１１７…振動装置、１１８…近距離無線通信モジュール、１１９…近距離無線通信用送受信アンテナ、１２０…カメラモジュール、１２１…時計回路
【図１】
2010177729.tif 000003
【図２】
2010177729.tif 000004
【図３】
2010177729.tif 000005
【図４】
2010177729.tif 000006
【図５】
2010177729.tif 000007
【図６】
2010177729.tif 000008
【図７】
2010177729.tif 000009
【図８】
2010177729.tif 000010
【図９】
2010177729.tif 000011
【図１０】
2010177729.tif 000012